(57)【要約】【課題】取扱い性を向上することができる電気機器を提供する。【解決手段】電力を風に変換して前面側から外部へ出力するファン本体部１０と、ファン本体部１０を支持する一対のサイドフレーム２２と、一対のサイドフレーム２２の下端部から後方側に延びる一対のボトムフレーム２４と、一対のボトムフレーム２４を接続する接続フレーム２４と、ファン本体部１０に電力を供給する二次電池３０が着脱可能に装着される電池保持部２５１とを具備し、電池保持部２５１は、接続フレーム２５に設けられ、ファン本体部１０後面の吸込口側と間隔をおいて配置されている。【選択図】図３
2015194121.tif 000002
【特許請求の範囲】
【請求項１】
常態において設置面と接触する第１フレーム部と、
該第１フレーム部に連結されている第２フレーム部と、
前記第１フレーム部に設けられ、二次電池が取り付けられた電池保持部と、を具備し、
設置面に対し、前記第１フレーム部を設置した状態で使用できると共に、
前記電池保持部に取り付けられた前記二次電池と前記第２フレーム部とを設置した状態で使用できるように構成したことを特徴とする電気機器。
【請求項２】
常態において設置面と接触する第１フレーム部と、
該第１フレーム部に設けられ、二次電池が取り付けられた電池保持部と、を具備し、
設置面に対し、前記第１フレーム部を設置した状態で使用できると共に、
前記電池保持部に取り付けられた前記二次電池のみを設置した状態で使用できるように構成したことを特徴とする電気機器。
【請求項３】
電力を光、風、熱又は音のいずれかに変換して前面側から外部へ出力する本体部と、
該本体部を支持する一対のサイドフレームと、
一対の前記サイドフレームの下端部から後方側に延びる一対のボトムフレームと、
一対の前記ボトムフレームを接続する接続フレームと、
前記本体部に電力を供給する二次電池が着脱可能に装着される電池保持部とを具備し、
前記電池保持部は、前記接続フレームに設けられ、前記本体部後面と間隔をおいて配置されていることを特徴とする電気機器。
【請求項４】
前記電池保持部の後方側に前記二次電池の装着部が形成されていることを特徴とする請求項３記載の電気機器。
【請求項５】
一対の前記ボトムフレームを接地させて自立させた状態では、前記電池保持部に装着された前記二次電池の重心は、前記本体部が一対の前記サイドフレームに支持されている箇所よりも下方に配置されることを特徴とする請求項３又は４記載の電気機器。
【請求項６】
前記本体部は、一対の前記サイドフレームにそれぞれ組み込まれ支持機構部によって回動可能に支持されていることを特徴とする請求項５記載の電気機器。
【請求項７】
一対の前記ボトムフレームにおける前記接続フレーム近傍の上面側には、一対の前記サイドフレームに支持された前記本体部の支持軸と軸方向が略平行な部分円筒状の凹部が形成されていることを特徴とする請求項３乃至６のいずれかに記載の電気機器。
【請求項８】
前記電池保持部における前記本体部側の面は、前記凹部から連続して前記ボトムフレームから遠ざかる方向に形成されていることを特徴とする請求項５記載の電気機器。
【請求項９】
前記電池保持部における前記本体部側の面は、根元から先端部にかけて前記本体部から遠ざかるように形成されていることを特徴とする請求項７又は８記載の電気機器。
【請求項１０】
電力を光、風、熱又は音のいずれかに変換して前面側から外部へ出力する本体部と、
前記本体部を支持する一対のサイドフレーム、一対の前記サイドフレームの下端部から後方側に延びる一対のボトムフレーム及び一対の前記ボトムフレームを接続する接続フレームを有するフレーム部と、
前記フレーム部に設けられ、前記本体部に電力を供給する二次電池が着脱可能に装着される電池保持部と、を具備し、
前記電池保持部と前記本体部との間の前記フレーム部は外部部材に引っ掛けるための引っ掛け部として機能することを特徴とする電気機器。
【請求項１１】
前記ボトムフレームを接地した状態において、前記サイドフレーム及び前記電池保持部は上方に延びるように構成され、
前記引っ掛け部は、前記本体部と前記電池保持部と前記フレーム部とで形成される空間内に位置するように構成したことを特徴とする請求項１０記載の電気機器。
【請求項１２】
前記引っ掛け部は、前記ボトムフレームと前記電池保持部との接続部に設けられていることを特徴とする請求項１１記載の電気機器。
【請求項１３】
前記電池保持部の前面側は前記ボトムフレームに対して後方側に傾斜していることを特徴とする請求項１２記載の電気機器。
【請求項１４】
前記引っ掛け部は、前記サイドフレームと前記ボトムフレームとの接続部に設けられることを特徴とする請求項１１記載の電気機器。
【発明の詳細な説明】
【技術分野】
【０００１】
本発明は、二次電池に蓄えられた電力を光、風、熱又は音のいずれかに変換して外部へ出力する電気機器に関する。
【背景技術】
【０００２】
作業現場等の過酷で煩雑な現場で用いられる電気機器である扇風機は、コンパクト且つ軽量で、容易に取り扱えることが望まれている。例えば、扇風機本体をケースに収納した状態で持ち運び、開放状態のケースに扇風機本体を取り付けて使用する扇風機が提案されている（例えば、特許文献１参照）
【先行技術文献】
【特許文献】
【０００３】
【特許文献１】実開昭５９−１９６５９６号公報
【発明の概要】
【発明が解決しようとする課題】
【０００４】
近年は、さらなる取扱い性向上の要求や二次電池の性能向上に伴って、コードレス化が進んでおり、二次電池に蓄えられた電力を風に変換して出力するコードレスファンが提案されており、取扱い性を向上させることが求められている。
【０００５】
本発明は以上のような状況に鑑みなされたものであって、上記課題を解決し、取扱い性を向上することができる電気機器を提供することを目的とする。
【課題を解決するための手段】
【０００６】
本発明の電気機器は、常態において設置面と接触する第１フレーム部と、該第１フレーム部に連結されていると共に前記第１フレーム部と略平行に配置された第２フレーム部と、前記第１フレーム部に設けられ、二次電池が取り付けられた電池保持部とを具備し、設置面に対し、前記第１フレーム部を設置した状態で使用できると共に、前記電池保持部に取り付けられた前記二次電池と前記第２フレーム部とを設置した状態で使用できるように構成したことを特徴とする。
また、本発明の電気機器は、常態において設置面と接触する第１フレーム部と、該第１フレーム部に設けられ、二次電池が取り付けられた電池保持部とを具備し、設置面に対し、前記第１フレーム部を設置した状態で使用できると共に、前記電池保持部に取り付けられた前記二次電池のみを設置した状態で使用できるように構成したことを特徴とする。
また、本発明の電気機器は、電力を光、風、熱又は音のいずれかに変換して前面側から外部へ出力する本体部と、該本体部を支持する一対のサイドフレームと、一対の前記サイドフレームの下端部から後方側に延びる一対のボトムフレームと、一対の前記ボトムフレームを接続する接続フレームと、前記本体部に電力を供給する二次電池が着脱可能に装着される電池保持部とを具備し、前記電池保持部は、前記接続フレームに設けられ、前記本体部後面と間隔をおいて配置されていることを特徴とする。
さらに、本発明の電気機器は、前記電池保持部の後方側に前記二次電池の装着部が形成されていても良い。
さらに、本発明の電気機器は、
一対の前記ボトムフレームを接地させて自立させた状態では、前記電池保持部に装着された前記二次電池の重心は、前記本体部が一対の前記サイドフレームに支持されている箇所よりも下方に配置されていても良い。
さらに、本発明の電気機器は、前記本体部は、一対の前記サイドフレームにそれぞれ組み込まれ支持機構部によって回動可能に支持されていても良い。
さらに、本発明の電気機器は、一対の前記ボトムフレームにおける前記接続フレーム近傍の上面側には、一対の前記サイドフレームに支持された前記本体部の支持軸と軸方向が略平行な部分円筒状の凹部が形成されていても良い。
さらに、本発明の電気機器は、前記電池保持部における前記本体部側の面は、前記凹部から連続して前記ボトムフレームから遠ざかる方向に形成されていても良い。
さらに、本発明の電気機器は、前記電池保持部における前記本体部側の面は、根元から先端部にかけて前記本体部から遠ざかるように形成されていても良い。
また、本発明の電気機器は、電力を光、風、熱又は音のいずれかに変換して前面側から外部へ出力する本体部と、前記本体部を支持する一対のサイドフレームと、一対の前記サイドフレームの下端部から後方側に延びる一対のボトムフレームと、一対の前記ボトムフレームを接続する接続フレームと、を有するフレーム部と、前記フレーム部に設けられ、前記本体部に電力を供給する二次電池が着脱可能に装着される電池保持部と、を具備し、前記電池保持部と前記本体部との間の前記フレーム部は外部部材に引っ掛けるための引っ掛け部として機能することを特徴とする。
さらに、本発明の電気機器は、前記ボトムフレームを接地した状態において、前記サイドフレーム及び前記電池保持部は上方に延びるように構成され、前記引っ掛け部は、前記本体部と前記電池保持部と前記フレーム部とで形成される空間内に位置するように構成されていても良い。
さらに、本発明の電気機器は、前記引っ掛け部は、前記ボトムフレームと前記電池保持部との接続部に設けられていても良い。
さらに、本発明の電気機器は、前記電池保持部の前面側は前記ボトムフレームに対して後方側に傾斜しているようにしても良い。
さらに、本発明の電気機器は、前記引っ掛け部は、前記サイドフレームと前記ボトムフレームとの接続部に設けられていても良い。
【発明の効果】
【０００７】
本発明によれば、取扱い性を向上することができるという効果を奏する。
【図面の簡単な説明】
【０００８】
【図１】本発明に係る電気機器であるコードレスファンの実施の形態の構成を示す斜視図である。
【図２】図１に示すコードレスファンの構成を示す正面図である。
【図３】図１に示すコードレスファンのボトムフレームを接地させた自立状態を示す斜視図である。
【図４】図１に示すコードレスファンのサイドフレーム及びボトムフレームを接地させた自立状態を示す斜視図である。
【図５】図１に示すコードレスファンのトップフレーム及び二次電池を接地させた自立状態を示す斜視図である。
【図６】図１に示すコードレスファンの二次電池の背面を接地させた自立状態を示す斜視図である。
【図７】図１に示すコードレスファンを吊り下げた状態を示す側面図である。
【図８】図１に示すコードレスファンを吊り下げた状態を示す斜視図である。
【図９】小サイズの二次電池を装着した図１に示すコードレスファンを吊り下げた状態を示す側面図である。
【図１０】二次電池を取り外した図１に示すコードレスファンを吊り下げた状態を示す側面図である。
【図１１】ボトムフレームが短い本発明に係るコードレスファンの実施の形態の構成を示す側面図である。
【図１２】本発明に係る電気機器であるコードレスファンの他の実施の形態の構成を示す側面図である。
【図１３】サイドフレーム及びボトムフレーム用いて図１に示すコードレスファンを吊り下げた状態を示す側面図である。
【発明を実施するための形態】
【０００９】
次に、本発明の実施の形態を、図面を参照して具体的に説明する。なお、各図面に示される同一または同等の構成要素、部材、処理等には同一の符号を付し、適宜重複した説明は省略する。
【００１０】
本実施の形態の電気機器は、電力を風に変換して外部へ出力するコードレスファン１である。コードレスファン１は、図１乃至図３を参照すると、ファン１１及びファン１１を回転させる図示しないモータが内蔵されたファン本体部１０と、ファン本体部１０を囲んで、ファン本体部１０をガードするフレーム部２０とで構成されている。
【００１１】
ファン本体部１０は、ファン１１及び図示しないモータを内蔵する中空円盤状のハウジングとして、送風口となる前面カバー部材１２と、空気の吸込口となる背面カバー部材１３とを備えている。そして、ファン本体部１０の上部には、ファン１１のオンオフを制御するスイッチ１４が設けられている。
【００１２】
フレーム部２０は、ファン本体部１０の両側面に配置され、ファン本体部１０の側面をガードする一対のサイドフレーム２２と、一対のサイドフレーム２２の上端部を接続するトップフレーム２３と、一対のサイドフレーム２２の下端部から後方側に延び、脚部となる一対のボトムフレーム２４と、一対のボトムフレーム２４の後端部を接続する接続フレーム２５とで構成され、サイドフレーム２２、トップフレーム２３、ボトムフレーム２４及び接続フレーム２５が互いに相対移動しないよう一体化されている。
【００１３】
図２に示すように、前面カバー部材１２側からファン本体部１０の前面を見たときに、一対のサイドフレーム２２はファン本体部１０の左方及び右方にそれぞれ位置し、トップフレーム２３はファン本体部１０の上方に位置し、ボトムフレーム２４はファン本体部１０の下方に位置する。サイドフレーム２２の一部には、支持機構部２１が組み込まれている。支持機構部２１は、ファン本体部１０の側面に設けられている図示しない回動軸をサイドフレーム２２に対して略直交するように軸支している。トップフレーム２３及び接続フレーム２５は、ファン本体部１０の回動軸に対して略平行に、支持機構部２１に軸支されたファン本体部１０が回動しても接触しない位置、すなわちファン本体部１０の回動領域外に配置されている。
【００１４】
コードレスファン１は、図３に示すように、ボトムフレーム２４を接地させて自立可能な構成になっている。接続フレーム２５には、ニッケル水素やリチウムイオン等の複数の電池セルが収容された二次電池３０が着脱可能に装着される電池保持部２５１が設けられている。電池保持部２５１は、図３に示す側面視でボトムフレーム２４の後端部から略上方に突出し、電池保持部２５１の後方側に二次電池３０が着脱可能に装着される装着部が形成されている。また、電池保持部２５１の装着部への二次電池３０の装着は、上方側から行うように構成されており、ユーザは、ボトムフレーム２４を接地させて自立させた状態で、電池保持部２５１の装着部を目視し、二次電池３０を容易に着脱可能である。
【００１５】
サイドフレーム２２とボトムフレーム２４とは、図３に示す側面視で略Ｌ字状に接続され、サイドフレーム２２とボトムフレーム２４とがなす角度は、鋭角（第１の実施の形態では略６０度）に設定されている。従って、ファン本体部１０の重心は、支持機構部２１に軸支されたファン本体部１０を回動しても、図３に示す側面視で常にボトムフレーム２４上に位置する。これにより、電池保持部２５１から二次電池３０を取り外した状態でも、ボトムフレーム２４を接地させて自立させた状態が維持される。
【００１６】
電池保持部２５１に二次電池３０を装着した状態では、質量の重いファン本体部１０と二次電池３０とが前後方向に間隔をおいて配置され、安定度が増し、倒れに難くい。また、図３に示すように、全体質量の大きな割合（例えば４割程度）を占める二次電池３０（少なくともその重心）は、ファン本体部１０が支持されている支持機構部２１よりも下方に配置されている。従って、コードレスファン１の重心位置が下がり、より安定度が増し、倒れに難くい。
【００１７】
図３に示すようにボトムフレーム２４を接地させてコードレスファン１を自立させた状態では、トップフレーム２３及び接続フレーム２５は、ファン本体部１０の前面カバー部材１２よりも後方側に位置し、接続フレーム２５に設けられた電池保持部２５１に装着された二次電池３０は、ファン本体部１０の吸込口ある後方側と間隔をおいて配置される。従って、ファン本体部１０の前面カバー部材１２からの送風がトップフレーム２３、接続フレーム２５、電池保持部２５１及び二次電池３０によって遮られることない。そして、送風を妨げる障害物が前方側にないため、支持機構部２１に軸支されたファン本体部１０を回動させること、前方側の広範囲で送風方向を上下に移動させることができる。また、二次電池３０がファン本体部１０の後方側に間隔をおいて配置されているため、ファン本体部１０の後方から吸い込まれる風によって、二次電池３０を冷却することができる。
【００１８】
また、図３に示すようにボトムフレーム２４を接地させてコードレスファン１を自立させた状態では、トップフレーム２３は、接地面に対して略平行に配置される。従って、トップフレーム２３は、ファン本体部１０の略上方のユーザが把持しやすい位置に配置されることになり、コードレスファン１を持ち運ぶためのハンドルとして機能する。
【００１９】
サイドフレーム２２とボトムフレーム２４とは、図３に示す側面視で略Ｌ字状に接続されているため、図４に示すように、一方のサイドフレーム２２及びボトムフレーム２４を接地させてコードレスファン１を自立させることができる。なお、図４において、（ａ）はボトムフレーム２４側から見た図であり、（ｂ）はトップフレーム２３側から見た図である。一対のボトムフレーム２４の間隔は、図４（ａ）に示すように、前方側よりも後方側が狭くなっている。従って、サイドフレーム２２及びボトムフレーム２４を接地させてコードレスファン１を自立させると、ファン本体部１０は前面カバー部材１２が上向くように斜めに傾き、送風方向は斜め上方になる。そして、支持機構部２１に軸支されたファン本体部１０を回動させること、送風方向を左右に移動させることができる
【００２０】
また、コードレスファン１は、図５に示すように、トップフレーム２３と電池保持部２５１に装着された二次電池３０と接地させて自立させたり、図６に示すように、電池保持部２５１に装着された二次電池３０の背面をと接地させて自立させたりすることができる。図５及び図６に示すいずれの場合においても、全体質量の大きな割合（例えば４割程度）を占める二次電池３０が脚部として接地しているため、安定度が増し、倒れに難くい。
【００２１】
図３を参照すると、ボトムフレーム２４における接続フレーム２５近傍の上面側には、凹部２６が形成されている。凹部２６は、支持機構部によって軸支されたファン本体部１０の回動軸と軸方向が略平行な部分円筒状の曲面で構成されており、凹部２６の曲率半径Ｒは、建築現場での足場用資材として単管パイプの規格である直径４８．６ｍｍに合わせて、半径Ｒ＝２４．３ｍｍに設定されている。そして、接続フレーム２５におけるファン本体部１０側の面も凹部２６の一部を構成しており、一対のボトムフレーム２４にそれぞれ形成された凹部２６に架け渡した単管パイプに接続フレーム２５も当接する。また、接続フレーム２５に設けられた電池保持部２５１におけるファン本体部１０側の面は、ボトムフレーム２４との間で略９０度の角度をなし、凹部２６から連続してボトムフレーム２４から遠ざかる方向に形成されている。
【００２２】
凹部２６は、コードレスファン１を吊り下げる際の鉤状の引っ掛け部（フック）として機能する。図７及び図８に示すように、コードレスファン１の上下を反対にして凹部２６を略水平に架け渡された単管パイプ４０に引っ掛けることで、単管パイプ４０に吊り下げた状態でコードレスファン１を使用することができる。図７に示すＡ点は、定格電圧１８Ｖの二次電池３０を装着したコードレスファン１の側面側から見た重心位置である。この場合、質量全体に占める二次電池３０の割合は４割程度であり、単管パイプ４０に吊り下げられたコードレスファン１は、単管パイプ４０を挟んで重量物であるファン本体部１０と二次電池３０とがほぼ釣り合う。従って、図７に示すように、ボトムフレーム２４が水平に近い状態となるため、一対のボトムフレーム２４にそれぞれ形成された凹部２６の全面が、単管パイプ４０の上面側に軸方向に間隔を持ってそれぞれ当接し、単管パイプ４０に対してコードレスファン１の回動軸が略平行に位置決めされ、姿勢が安定する。また、凹部２６が部分円筒状の曲面で構成されているため、凹部２６を単管パイプ４０に当接させた状態でコードレスファン１を単管パイプ４０に沿って移動させることで、左右方向に簡単に移動可能である。
【００２３】
本実施の形態では、電池保持部２５１には、定格電圧１８Ｖの二次電池３０と定格電圧１４．４Ｖの二次電池３０ａの２種類を装着可能に構成されている。図９は、定格電圧１４．４Ｖの二次電池３０ａを装着したコードレスファン１を単管パイプ４０に吊り下げた状態が示されている。図９に示すＢ点は、定格電圧１４．４Ｖの二次電池３０ａを装着したコードレスファン１の側面側から見た重心位置である。質量全体に占める二次電池３０ａの割合は小さくなり、単管パイプ４０に吊り下げられたコードレスファン１は、ファン本体部１０側に少し傾くことになるが、この場合でも、凹部２６の全面が単管パイプ４０の上面側に当接する。換言すると、電池保持部２５１には、二次電池３０もしくは二次電池３０ａが装着された状態でコードレスファン１を吊り下げた場合、凹部２６の全面が単管パイプ４０の上面側に当接するように、単管パイプ４０を挟んで両側に位置するファン本体部１０と二次電池３０との重量バランスが設定されている。
【００２４】
図１０は、二次電池３０、３０ａを取り外したコードレスファン１を単管パイプ４０に吊り下げた状態が示されている。図１０に示すＣ点は、二次電池３０、３０ａを取り外したコードレスファン１の側面側から見た重心位置である。この場合、単管パイプ４０に吊り下げられたコードレスファン１は、ファン本体部１０側に大きく傾くが、電池保持部２５１におけるファン本体部１０側の面が凹部２６から連続して形成されているため、多少の揺れでは、コードレスファン１が単管パイプ４０から脱落することがない。これにより、コードレスファン１を単管パイプ４０に吊り下げた状態で二次電池３０、３０ａの着脱を容易に行うことができる。
【００２５】
なお、図１１に示すように、小型化を目的として長さの短いボトムフレーム２４ａを採用したコードレスファン１ａの場合には、ファン本体部１０と電池保持部２５１との間隔が狭くなり、単管パイプ４０に吊り下げようとしても、単管パイプ４０が凹部２６まで通りにくくなる。そこで、長さの短いボトムフレーム２４ａを採用する場合には、図１２に示すコードレスファン１ｂのように、ファン本体部１０側の面が根元から先端部にかけてファン本体部１０から遠ざかるように、電池保持部２５１を接続フレーム２５に対して斜めに設けると良い。この場合には、ファン本体部１０と電池保持部２５１との間隔が確保され、電池保持部２５１におけるファン本体部１０側の面に沿って単管パイプ４０を沿わせることで、簡単に凹部２６まで導くことができる。
【００２６】
また、サイドフレーム２２とボトムフレーム２４とは、図３に示す側面視で略Ｌ字状に接続されている。従って、図１３に示すように、サイドフレーム２２とボトムフレーム２４との接続部を引っ掛け部として機能させて単管パイプ４０に引っ掛けることで、単管パイプ４０に吊り下げた状態でコードレスファン１を使用することができる。この場合でも、単管パイプ４０を挟んで、重量物であるファン本体部１０と二次電池３０が配置され、安定する。
【００２７】
以上説明したように、本実施の形態によれば、本発明の電気機器は、常態において設置面と接触する第１フレーム部として機能するボトムフレーム２４及び接続フレーム２５と、サイドフレーム２２を介してボトムフレーム２４に連結されている第２フレーム部として機能するトップフレーム２３と、サイドフレーム２２に設けられ、二次電池３０が取り付けられた電池保持部２５１とを具備し、設置面に対し、ボトムフレーム２４及び接続フレーム２５を設置した状態で使用できると共に、電池保持部２５１に取り付けられた二次電池３０とトップフレーム２３とを設置した状態で使用できるように構成されている。
【００２８】
また、本実施の形態によれば、常態において設置面と接触するとして機能するボトムフレーム２４及び接続フレーム２５と、サイドフレーム２２に設けられ、二次電池３０が取り付けられた電池保持部２５１とを具備し、設置面に対し、ボトムフレーム２４及び接続フレーム２５を設置した状態で使用できると共に、電池保持部２５１に取り付けられた二次電池３０のみを設置した状態で使用できるように構成したことを特徴とする。
【００２９】
また、本実施の形態によれば、電力を風に変換して前面側から外部へ出力するファン本体部１０と、ファン本体部１０を支持する一対のサイドフレーム２２と、一対のサイドフレーム２２の下端部から後方側に延びる一対のボトムフレーム２４と、一対のボトムフレーム２４を接続する接続フレーム２４と、ファン本体部１０に電力を供給する二次電池３０が着脱可能に装着される電池保持部２５１とを具備し、電池保持部２５１は、接続フレーム２５に設けられ、ファン本体部１０後面の吸込口側と間隔をおいて配置されている。
これらの構成により、質量の重いファン本体部１０と二次電池３０とが前後方向に間隔をおいて配置され、安定度が増し、倒れ難い。二次電池３０とトップルレーム２３とを接地させた場合には重心がそれらの間に位置するため倒れ難い。また、様々な状態で設置できるため、用途に応じて設置状態を変更することができる。また、二次電池３０を接地させた場合には機器の重心が二次電池３０の上方に位置するため倒れ難い。また、ファン本体部１０の後方から吸い込まれる風によって、二次電池３０を冷却することができる。
【００３０】
さらに、本実施の形態によれば、電池保持部２５１の後方側に二次電池３０の装着部が形成されている。
この構成により、ユーザは、ボトムフレーム２４を接地させて自立させた状態で、電池保持部２５１の装着部を目視し、二次電池３０を容易に着脱可能である。
【００３１】
さらに、本実施の形態によれば、一対のボトムフレーム２４を接地させて自立させた状態では、電池保持部２５１に装着された二次電池の重心は、ファン本体部２５１が一対のサイドフレーム２２に支持されている箇所よりも下方に配置される。
この構成により、コードレスファン１の重心位置が下がり、より安定度が増し、倒れに難くい。
【００３２】
さらに、本実施の形態によれば、ファン本体部１０は、一対のサイドフレーム２２にそれぞれ組み込まれ支持機構部２１によって回動可能に支持されている。
この構成により、重心位置が下がって安定させた状態で、風向きを容易に変更することができる。
【００３３】
さらに、本実施の形態によれば、一対のボトムフレーム２４における接続フレーム２５近傍の上面側には、一対のサイドフレーム２２に支持されたファン本体部１０の支持軸と軸方向が略平行な部分円筒状の凹部２６が形成されている。
この構成により、凹部２６がコードレスファン１を吊り下げる際の鉤状の引っ掛け部（フック）として機能し、コードレスファン１の上下を反対にして凹部２６を略水平に架け渡された単管パイプ４０に引っ掛けることで、単管パイプ４０に吊り下げた状態でコードレスファン１を使用することができる。この場合、単管パイプ４０を挟んで重量物であるファン本体部１０と二次電池３０とがほぼ釣り合い、姿勢が安定する。
【００３４】
さらに、本実施の形態によれば、電池保持部２５１におけるファン本体部側の面は、凹２６から連続してボトムフレームから遠ざかる方向に形成されている。
この構成により、多少の揺れでは、コードレスファン１が単管パイプ４０から脱落することがない。これにより、コードレスファン１を単管パイプ４０に吊り下げた状態で二次電池３０、３０ａの着脱を容易に行うことができる。
【００３５】
さらに、本実施の形態によれば、電池保持部２５１におけるファン本体部１０側の面は、根元から先端部にかけてファン本体部１０から遠ざかるように形成されている。
この構成により、小型化を目的として長さの短いボトムフレーム２４ａを採用しても、ファン本体部１０と電池保持部２５１との間隔が確保され、電池保持部２５１におけるファン本体部１０側の面に沿って単管パイプ４０を沿わせることで、簡単に凹部２６まで導くことができる。
【００３６】
また、本実施の形態によれば、電力を風に変換して前面側から外部へ出力するファン本体部１０と、ファン本体部１０を支持する一対のサイドフレーム２２、一対のサイドフレーム２２の下端部から後方側に延びる一対のボトムフレーム２４及び一対のボトムフレーム２４を接続する接続フレーム２５を有するフレーム部２０と、フレーム部２０に設けられ、ファン本体部１０に電力を供給する二次電池３０が着脱可能に装着される電池保持部２５１とを具備し、電池保持部２５１とファン本体部１０との間のフレーム部２０は外部部材に引っ掛けるための引っ掛け部として機能する。
【００３７】
さらに、本実施の形態によれば、ボトムフレーム２４を接地した状態において、サイドフレーム２２及び電池保持部２５は上方に延びるように構成され、引っ掛け部は、ファン本体部１０と電池保持部２５１とフレーム部２０とで形成される空間内に位置するように構成されている。
【００３８】
さらに、本実施の形態によれば、引っ掛け部は、ボトムフレーム２４と電池保持部２５１との接続部に設けられている。
【００３９】
さらに、本実施の形態によれば、電池保持部２５１の前面側はボトムフレーム２４に対して後方側に傾斜している。
【００４０】
さらに、本実施の形態によれば、引っ掛け部は、サイドフレーム２２とボトムフレーム２４との接続部に設けられる。
【００４１】
以上、本発明を実施の形態をもとに説明した。本実施の形態は例示であり、それらの各構成要素の組み合わせ等にいろいろな変形例が可能なこと、またそうした変形例も本発明の範囲にあることは当業者に理解されるところである。
例えば、本発明は、電力を光、熱又は音のいずれかに変換して外部へ出力する電気機器に適用することができる。
電力を光に変換して出力する電気機器としては、電力を光に変換するＬＥＤを備えた投光器に限ることなく、電力を光に変換する変換部として液晶を、変換された光を外部に出力する出力部として液晶のパネルをそれぞれ用いることで、テレビ・ＤＶＤプレーヤー等の映像再生機にも適用できる。
電力を熱に変換して出力する電気機器としては、電力を熱に変換する変換部として熱変換器を、変換された熱を外部に出力する出力部として熱変換器のガード網をそれぞれ用いることで、ヒーター、クーラー等の熱変換器に適用できる。
電力を熱に変換して出力する電気機器としては、電力を音に変換する変換部としてスピーカーを、変換された音を外部に出力する出力部としてスピーカーの防塵ネットをそれぞれ用いることで、スピーカー、拡声器、ラジオ等の音響機器に適用できる。
【符号の説明】
【００４２】
１、１ａ、１ｂ  コードレスファン
１０  ファン本体部
１１  ファン
１２  前面カバー部材
１３  背面カバー部材
１４  スイッチ
２０  フレーム部
２１  支持機構部
２２  サイドフレーム
２３  トップフレーム
２４、２４ａ  ボトムフレーム
２５  接続フレーム
２５１  電池保持部
２６  凹部
３０、３０ａ  二次電池
４０  単管パイプ
【図１】
2015194121.tif 000003
【図２】
2015194121.tif 000004
【図３】
2015194121.tif 000005
【図４】
2015194121.tif 000006
【図５】
2015194121.tif 000007
【図６】
2015194121.tif 000008
【図７】
2015194121.tif 000009
【図８】
2015194121.tif 000010
【図９】
2015194121.tif 000011
【図１０】
2015194121.tif 000012
【図１１】
2015194121.tif 000013
【図１２】
2015194121.tif 000014
【図１３】
2015194121.tif 000015